(57)【要約】  衛星またはソーラードローンの太陽光発電機を試験するための装置を提案し、太陽光発電機は１つの接合部または複数の接合部の太陽電池のアレイを備え、各接合部はそれぞれの波長帯域の光子を電流に変換することができる。試験装置は、光源のアレイと光源のアレイのための制御ユニットを備える。光源のアレイは、光源の少なくとも１つの行を含み、アレイの各光源は、太陽電池の接合部の電気変換波長帯域のそれぞれにおいて発光することができる。制御ユニットは、アレイの各光源の点灯および消灯を個別に制御することができる。光源のアレイは、アレイの１つ以上の光源を点灯にすることによって、太陽光発電機の各太陽電池を選択的に照明することができるようにさらに構成され、太陽電池は少なくとも１３０Ｗ／ｍ２よりも大きい放射照度を受ける。
2021524225.tif 000002
【特許請求の範囲】
【請求項１】
衛星またはソーラードローンの太陽光発電機（２）を試験するための試験装置（１）であって、前記太陽光発電機（２）は１つの接合部または複数の接合部を有する太陽電池（２０）のアレイを備え、各接合部はそれぞれの波長帯域の光子を電流に変換することができ、
前記試験装置（１）は、
前記太陽電池の前記接合部の電気変換波長の各帯域において発光することができる照明装置（１９）であって、光源（１１）のアレイ（１０）を備え、前記アレイ（１０）は光源（１１）の少なくとも１つの行を含み、前記アレイの各光源（１１）は前記太陽電池（２０）の前記接合部の少なくとも１つの電気変換波長帯域において発光することができる、照明装置と、
前記光源のアレイ（１０）のための制御ユニット（１２）であって、前記アレイの前記光源（１１）の各々の点灯及び消灯を個別に制御することが可能な制御ユニット（１２）を備え、
光源（１１）の前記アレイ（１０）が前記アレイの１つ以上の光源（１１）を点灯させることにより、前記太陽電池（２０）の各太陽電池（２０）を選択的に照明することが可能であるように更に構成され、
前記照明装置は、前記太陽光発電機の各太陽電池（２０）を照明することが可能であるように構成され、前記太陽電池が少なくとも１３０Ｗ／ｍ２よりも大きい放射照度を受ける試験装置。
【請求項２】
各太陽電池（２０）は多接合型であり、前記アレイ（１０）の各光源（１１）は、前記太陽電池（２０）の接合部の各電気変換波長帯において発光することができる請求項１に記載の試験装置。
【請求項３】
前記アレイ（１０）の各光源（１１）は複数の発光ダイオードを備え、各発光ダイオードは前記太陽電池のそれぞれの接合部の電気変換波長帯域において発光可能である請求項２に記載の試験装置。
【請求項４】
Ｎが前記太陽光発電機（２）の前記太陽電池（２０）の接合の数であり、前記アレイの各光源（１１）がｎ個の発光ダイオードを備え、光源の各ダイオードが、前記太陽電池のそれぞれの接合によって吸収された波長帯域において発光することができる請求項３に記載の試験装置。
【請求項５】
前記太陽電池（２０）は三重接合型であり、前記アレイ（１０）の各光源（１１）は、４５０ｎｍを中心とする波長帯域で発光可能な第１の発光ダイオード、
８５０ｎｍを中心とする波長帯域で発光可能な第２の発光ダイオード、および
９４０ｎｍを中心とする波長帯域で発光可能な第３の発光ダイオード、
を備える請求項４に記載の試験装置。
【請求項６】
制御部（１２）はさらに、前記アレイの光源（１１）の各発光ダイオードの点灯、消灯、および放射照度を個別に制御することが可能である請求項２から４のいずれか１項に記載の試験装置。
【請求項７】
各太陽電池が多接合型であり、前記アレイの各光源（１１）が前記太陽電池の接合部の単一の電気変換波長帯域で発光可能であり、前記照明装置が、前記太陽電池の前記接合部の他の電気変換波長帯域のそれぞれで発光可能な少なくとも１つの二次光源をさらに備える請求項１に記載の試験装置。
【請求項８】
前記アレイに隣接する２つの隣接する光源（１１）間の距離が、２つの隣接する太陽電池（２０）の中心間の距離以下である請求項１から７の何れか１項に記載の試験装置。
【請求項９】
各光源によって発光される光ビームの開口角度を制御するのに適した光学系をさらに備える請求項１から８の何れか１項に記載の試験装置。
【請求項１０】
前記太陽光発電機のための保護装置（１８）をさらに備え、前記保護装置（１８）は、
１．８μｍより長い波長を有する光線を遮断することができる透明スクリーン（１８０）と、
前記透明スクリーンと光源の前記アレイとの間で空気を循環させることができるファン（１８１）を備える請求項１から９の何れか１項に記載の試験装置。
【請求項１１】
光源（１１）の前記アレイ（１０）は複数のサブアレイ（１５）から形成され、各サブアレイ（１５）は光源（１１）の少なくとも１つの行を含む請求項１から１０の何れか１項に記載の試験装置。
【請求項１２】
衛星（Ｓ）またはソーラードローンの太陽光発電機（２）を試験するための方法であって、
前記太陽光発電機（２）は１つの接合部または複数の接合部を有する太陽電池（２０）のアレイを備え、各接合はそれぞれの波長帯域の光子を電流に変換することができ、
前記方法は請求項１から１１の何れか１項に記載の試験装置（１）を使用して実施され、
前記試験装置の光源（１１）の前記アレイ（１０）を前記太陽光発電機に対向するように位置決めするステップ（１００）、
前記アレイの少なくとも１つの光源を点灯することによって、前記太陽電池の各接合部の全ての電気変換波長帯において前記太陽電池の少なくとも１つの太陽電池を選択的に照射するステップ（２００）、
照明された前記太陽電池の応答電流を測定するステップ（３００）、及び
前記太陽光発電機の健全状態または不良状態を推定するために、測定された前記応答電流を分析するステップ（４００）、を含む方法。
【請求項１３】
前記太陽光発電機は衛星またはソーラードローンに組み立てられ、測定された前記応答電流は前記太陽光発電機によって前記衛星またはソーラードローンに供給される電流である、請求項１２に記載の方法。
【請求項１４】
前記太陽光発電機が衛星に組み立てられ、前記試験装置が前記太陽光発電機の全ての太陽電池を同時に照射できるように構成され、前記方法は、前記太陽光発電機の全ての太陽電池を同時に照射することによって前記衛星の前記点灯を試験するステップを含む、請求項１２または１３に記載の方法。
【請求項１５】
前記太陽光発電機が太陽電池（２０）の複数のストリング（２１）を備え、１つのストリング（２１）の前記太陽電池（２０）は直列に接続され、前記方法は太陽電池の少なくとも１つのストリング（２１）の試験を含み、
前記試験は、
１つのストリングの太陽電池のグループを連続的に照明するステップ（２００）であって、前記グループは一定数の太陽電池を含み、連続的に照明される前記グループは１つの太陽電池によって互いにオフセットされる、ステップと、
照明された太陽電池の各グループについて測定された前記応答電流に基づいて、前記ストリングの前記太陽電池の健全状態または不良状態、および前記ストリングの前記太陽電池の間の電気的接触の健全状態または不良状態を判定するステップ（４００）を含む、請求項１２から１４のうちの何れか１項に記載の方法。
【請求項１６】
前記太陽光発電機の各太陽電池がバイパスダイオード（２２）に関連付けられ、太陽電池のストリング（２１）の前記試験は、照明された太陽電池の各グループについて測定された前記応答電流に基づいて、前記ストリング（２１）の前記太陽電池（２０）に関連付けられた前記バイパスダイオード（２２）の健全状態または不良状態にあるかを判定するステップ（４００）をさらに含む、請求項１５に記載の方法。
【請求項１７】
前記太陽光発電機（２）は調整器（２５）に接続され、太陽電池（２０）の複数のストリング（２１）を備え、１つのストリングの前記太陽電池は直列に接続され、
前記方法は、１つ以上のストリング（２１）の太陽電池を選択的に照明するステップ（２００）と、
測定された前記応答電流に基づいて、前記調整器および前記ストリング（２１）と前記調整器（２５）との間の前記接続が健全状態または不良状態にあるかを判定するステップ（４００）と、を含む、請求項１２から１６の何れか１項に記載の方法。
【発明の詳細な説明】
【技術分野】
【０００１】
本発明は、衛星またはソーラードローンの太陽光発電機を試験するための装置に関する。本発明による装置は、特に、太陽光発電機を形成する太陽電池の健全性を試験するために、また、太陽電池とそれらの保護要素との接続の正しい動作を試験するために使用可能である。
【背景技術】
【０００２】
衛星への電力は１つ以上の太陽光発電機によって供給され、各発電機はいくつかのｐ―ｎ接合、典型的には３つのｐ―ｎ接合を備える太陽電池のアレイを備える。三重接合太陽電池は高価ではあるが、二重接合電池よりも高い電気変換効率を示す。
衛星が配備された後に衛星にアクセスすることが困難であることを考えると、その発射後にその構成要素を試験または修理することは非常に困難であるか、または不可能でさえあり、したがって、発射前に地上で衛星を試験することができることが不可欠である。特に、太陽光発電機は衛星が打ち上げられた後に発電機の性能が保証されることを実証し、必要に応じて欠陥のある部品を打ち上げ前に交換することを目的とする、いくつかの機能試験を受ける。
【０００３】
これらの正しい動作の試験には、特に、電気回路の完全性及びそれらの構成要素である太陽電池の性能の検証が含まれる。この検証は、現在、典型的には以下を含む一連のユニット試験によって行われる。
・配線及び電池用バイパスダイオード等の保護要素の導通試験
・太陽電池の健全性試験
・太陽光発電機を統合した後の衛星への電気的部分の配分と正しい接続の試験。
【０００４】
太陽電池の健全性試験は何らかの故障を検出するために、太陽光発電機に電流を供給し、この電流に応答して生成されたエレクトロルミネセンス画像を捕捉して処理することからなるエレクトロルミネセンス試験によって達成することができる。また、「フラッシュ試験」と呼ばれる試験によって達成することができる。この試験は太陽光発電機を照射し、電力および／または応答して発生するＩ−Ｖ特性を測定することからなる。
【０００５】
配線導通試験は、発電機を形成する太陽電池の種々のストリングを個別に偏光させることによって、手動で実行することができる。
【０００６】
これらの異なるタイプの試験では、測定及び処理エレクトロニクスを接続するために、衛星から太陽光発電機を切り離し、太陽光発電機の電気システムにアクセスする必要がある。これらの試験に要する時間を考えると、一般に、太陽光発電機は衛星から取り外され、試験のために特定の領域に持ち込まれなければならない。このことは、望ましくない取り扱い、従って、これらの部品の生産コストを考慮すると、望ましくない太陽光発電機と衛星への損傷のリスクを追加する。
【０００７】
配分試験は、太陽光発電機の異なる領域を照明し、衛星での応答を測定することにより行うことができる。従って、この試験は、一旦太陽光発電機が衛星に再組立されると、第二段階で実施される。
【０００８】
実施された様々な試験、および太陽光発電機に接続すること、および各試験を実行できるようにするために太陽光発電機を操縦することに関して生じる制約は試験プロトコルを長くし、危険にさらす。
【０００９】
また、太陽光ドローンについても同様の問題が生じており、それはそれらの重大な統合性及び軽量性の制約のために、高価で壊れやすい太陽光発電機を備えており、それはそれらを損傷するリスクなしに試験することができることが重要である。さらに、夜間に着陸しないのに十分な自律性を有することができる太陽光ドローンについては、飛行の時期の悪い中断を回避するために、ドローンを発射する前に必要なすべての試験を実施することも有利である。
【００１０】
したがって、より高速であり、太陽光発電機およびそれが取り付けられる衛星またはドローンの完全性に対する危険性がより少ない、太陽光発電機を試験する手段が必要とされている。
【発明の概要】
【発明が解決しようとする課題】
【００１１】
上記に鑑みて、本発明の目的は、従来技術の欠点を少なくとも部分的に克服することである。特に、本発明の目的の１つは、種々のタイプの試験を実施するために使用可能な、太陽光発電機を試験するための非接触装置を提供することである。
【００１２】
本発明の別の目的は、太陽電池の健全性試験を実施するための試験装置を提供することであり、また、配線の連続性及び電気部分の衛星又はソーラードローンへの正しい接続の試験を提供することである。
【課題を解決するための手段】
【００１３】
この点に関して、本発明の目的は衛星またはソーラードローンの太陽光発電機を試験するための装置であって、太陽光発電機は１つの接合部または複数の接合部を有する太陽電池のアレイを備え、各接合はそれぞれの波長帯域の光子を電流に変換することができる、装置である。試験装置は、以下を備える。
・光源の少なくとも１つの列を備える光源のアレイであって、アレイの各光源は、太陽電池の接合部の電気変換波長帯域のそれぞれにおいて光を発光することができる。
・前記光源のアレイのための制御ユニットであって、アレイの各光源のオンおよびオフを個別に制御することができる。
【００１４】
光源のアレイは、アレイの１つ以上の光源をオンにすることによって、太陽光発電機の各太陽電池を選択的に照明することができるようにさらに構成され、太陽電池は少なくとも１３０Ｗ／ｍ２よりも大きい放射照度を受ける。
【００１５】
一実施形態では、各太陽電池が多接合型であり、アレイの各光源は複数の発光ダイオードを備え、各発光ダイオードは太陽電池のそれぞれの接合部の電気変換波長帯域の光を発光することができる。
【００１６】
例えば、太陽光発電機の太陽電池の接合部の数がＮ個である場合、アレイの各光源はＮ個の発光ダイオードを備えてもよく、光源の各ダイオードは太陽電池のそれぞれの接合部によって吸収される波長帯域の光を発光することができる。
【００１７】
特定の一実施形態では、太陽電池は三重接合型であり、アレイの各光源は以下を備える。
・４５０ｎｍを中心とする波長帯域で発光可能な第１の発光ダイオード。
・８５０ｎｍを中心とする波長帯域発光可能な第２の発光ダイオード、および
・９４０ｎｍを中心とする波長帯域で発光可能な第３の発光ダイオード。
【００１８】
有利には、制御ユニットは、更に、アレイの光源の各発光ダイオードのオン、オフ、および放射照度を個別に制御することが可能である。
【００１９】
有利には、アレイの２つの隣接する光源間の距離が、２つの隣接する太陽電池の中心間の距離以下である。
【００２０】
一実施形態では、試験装置が各光源によって発光される光ビームの開口角度を制御するのに適した光学系をさらに備える。光源がＬＥＤを備える場合、これらの光学系は、各ＬＥＤに一体化されてもよい。
【００２１】
試験装置はさらに、太陽光発電機のための以下の保護装置を備えてもよい。
・１．８μｍより長い波長を有する光線を遮断することができる透明なスクリーン。
・透明スクリーンと光源アレイとの間に空気を循環させることができるファン。
【００２２】
光源のアレイは有利には複数のサブアレイから形成され、各サブアレイは１つの行の光源を備える。
【００２３】
本発明の別の目的は、衛星またはソーラードローンの太陽光発電機を試験するための方法であって、太陽光発電機は多接合太陽電池のアレイを備え、各接合部はそれぞれの波長帯域の光子を電流に変換することができ、試験方法は上記の説明による試験装置を使用して実施され、以下のステップを含む方法である。
・前記試験装置の前記光源アレイを前記太陽光発電機に対向させるように位置決めする。
・前記アレイの少なくとも１つの光源を点灯して、前記太陽光発電機の少なくとも１つの太陽電池を選択的に照射する。
・照明された太陽電池の応答電流を測定する。及び
・太陽光発電機の健全・不良状態を推定するために、測定された応答電流を解析する。
【００２４】
有利には太陽光発電機が衛星またはソーラードローンに組み立てられ、測定された応答電流は太陽光発電機によって衛星またはソーラードローンに供給される電流である。
【００２５】
一実施態様では、太陽光発電機が衛星に組み立てられ、試験装置は太陽光発電機の全ての太陽電池を同時に照射できるように構成され、本方法は太陽光発電機の全ての太陽電池を同時に照射することによって衛星の電源を入れることを試験するステップを含む。
【００２６】
一実施形態では、太陽光発電機が複数の太陽電池ストリングを備え、ストリングの太陽電池は直列に接続され、本方法は少なくとも１つの太陽電池ストリングの試験を含み、前記試験は、以下を含む。
・１つのストリングに含まれる太陽電池のグループの連続的な照明。前記グループは一定数の太陽電池を含み、前記連続的に照明されるグループは、１個の太陽電池により互いにオフセットされる。
・照明された太陽電池の各グループについて測定された応答電流に基づいて、ストリングの電池の良好・不良状態、およびストリングの電池間の電気接的接触の健全・不良状態を判定する。
【００２７】
太陽電池発電機の各太陽電池はバイパスダイオードに関連付けられてもよく、太陽電池のストリングの試験は照明された太陽電池の各グループについて測定された応答電流に基づいて、ストリングの太陽電池に関連付けられたバイパスダイオードの良好・不良状態の判定を含むことができる。
【００２８】
太陽光発電機が調整器に接続され、ストリングの太陽電池が直列に接続された複数の太陽電池ストリングを備える場合、本方法は、１つ以上の太陽電池のストリングの選択的照明と、測定された応答電流に基づいて、調整器の良好な状態または不良状態の判定と、ストリングと調整器との間の接続の判定とを含むことができる。
【００２９】
本発明による試験装置は、特定の試験インターフェースなしで、接触なしで、太陽光発電機の太陽電池の健全性を試験することを可能にする。実際、装置は１３０Ｗ／ｍ２以上の受信放射照度で各電池を照射できるように構成されており、これは、宇宙空間で太陽から受け取った放射照度の１／１０に相当し、太陽電池が衛星またはドローンで測定可能な十分に高い電流を生成することを可能にする。
【００３０】
したがって、太陽光発電機を、衛星またはドローンから切り離す必要はなく、これにより、取り扱いに伴うリスク、ならびに試験期間が短縮される。
【００３１】
さらに、試験装置の光源のアレイの構成は、太陽光発電機の１つ以上の太陽電池を個別に照射することを可能にする。これは、太陽電池の健全な又は欠陥のある状態を判定することを可能にするだけでなく、太陽電池のグループの照明の適切なシーケンスによって、配線の完全性、バイパスダイオードの正しい動作、及び配置、すなわち、衛星又はドローンへの太陽光発電機の正しい接続を試験することも可能にする。
【図面の簡単な説明】
【００３２】
本発明の他の特徴、目的、および利点は以下の説明から明らかになり、以下の説明は純粋に例示的であり、限定的ではなく、添付の図面と併せて読まれるべきである。
【図１ａ】本発明の一実施形態による試験装置の一例を概略的に示す。
【図１ｂ】光源のアレイのための支持フレームを概略的に示す
【図１ｃ】フレームに取り付けられた光源のアレイの側面図を概略的に示す。
【図１ｄ】本発明の別の実施形態による試験装置の一例を概略的に示す。
【図２ａ】異なる発光スペクトルの４つのＬＥＤを含む光源の一例を示す。
【図２ｂ】ＬＥＤの高密度構成の一例を示す。
【図３ａ】試験装置の光源のアレイの例示的な構成を示す。
【図３ｂ】試験装置の光源のアレイの例示的な構成を示す。
【図４】衛星の太陽光発電機の一例を模式的に示す。
【図５】試験する太陽光発電機の太陽電池の電気変換特性と比較した試験装置の発光ダイオードの発光特性の一例を示す。
【図６】本発明の一実施形態による太陽光発電機を試験する方法の主要なステップを概略的に示す。
【発明を実施するための形態】
【００３３】
図１ａを参照して、ここで、太陽光発電機を試験するための装置１について説明する。この装置は、太陽光発電機の正しい動作の一組の非接触検証を行い、太陽光発電機の内部部品にアクセスするために、太陽光発電機を操作することを可能にする。太陽光発電機は、有利には、衛星Ｓまたはソーラードローンに搭載されて、そこへの電力の供給を確実にするように意図される。
【００３４】
太陽光発電機２の一例を図４に模式的に示す。それは少なくとも１つの接合、及び好ましくは少なくとも２つの接合を含む太陽電池２０のアレイを含み、これらの接合は次いで、多接合電池というタームが使用される。太陽電池の各接合は光起電力効果によって、それぞれの波長帯域の光子を電流に変換することができる。
【００３５】
衛星に電力を供給する場合、太陽光発電機の太陽電池２０は、典型的には例えば、Ａｚｕｒ  Ｓｐａｃｅ社が提供する電池モデル３Ｇ２８又は３Ｇ３０のような三重接合型電池であり得、それらのスペクトル応答は図５に示されており、ここで、ｘ軸は波長を表し、ｙ軸の左は、電池の光電変換率（外部量子効率ＥＱＥとも呼ばれる）を表す。
【００３６】
例えば、三重接合電池は、以下を備えてもよい。
・４００〜６００ｎｍの波長帯の光子を電流に変換するのに適した上部接合部
・６５０〜９００ｎｍの波長帯の光子を電流に変換するのに適した中間接合部、および
・近赤外線、たとえば、９００〜１０００ｎｍの波長帯の光子を電流に変換するのに適した下部接合部。
太陽電池の「アレイ」は、太陽電池が２つの隣接する太陽電池の間に一定の距離（第１の方向における第１の距離と、第１の方向に直交する第２の方向における第２の距離とを含み得る）を有する規則的な配列で配置されることを意味すると理解される。典型的には、太陽電池が、全てが同数の電池を含む行に分配される。例えば、太陽電池のアレイは実質的に長方形の形状を有し、各々がＲ個の電池を含むＮ行に分布するＮ×Ｒ個の太陽電池を含んでもよい。Ｎ＝Ｒの場合、アレイの形状は実質的に正方形である。
【００３７】
太陽光発電機２の太陽電池２０はストリング２１に分配され、各ストリングは互いに直列に接続された複数の太陽電池２０を備える。図４では、太陽電池の６つのストリングが一例として示されている。
【００３８】
さらに、太陽光発電機２は、１つ以上のバイパスダイオード２２を備えてもよく、バイパスダイオードは１つ以上の太陽電池２０と並列に接続され、遮光されている場合に、それが接続されている太陽電池を短絡させることを可能にする。例えば、太陽電池２は、図４に概略的に示されているように、各太陽電池に対して１つのバイパスダイオード２２を備えることができ、ここでは、６つの太陽電池のストリングのうちの１つのみが図示されている。
【００３９】
太陽光発電機２はまた、ストリング２１ごとにストリングブロッキングダイオード２３を備えてもよく、これにより、遮光の場合に、ストリング内で逆方向に電流が流れるのを防止することが可能になる。
【００４０】
最後に、太陽光発電機は、衛星のニーズに応じて、直接エネルギー伝達型（ＤＥＴとも呼ばれる）または最大電力点追尾型（ＭＰＰＴとも呼ばれる）の電力調整器２５に接続される。次に、調整器２５によって変換された電流を使用して、太陽光発電機が搭載されている衛星Ｓまたはドローンに電力を供給することができる。
【００４１】
衛星またはドローンを打ち上げる前に、太陽光発電機の正しい動作を確認する必要がある。
【００４２】
図１ａに戻って、太陽光発電機を試験するための装置１は、光源１１のアレイ１０を備える照明装置１９を備え、ここでも、「アレイ」という単語は、例えば、２つの隣接する光源の間が一定の距離（おそらく、第１の方向の第１の距離と、第１の方向と直交する第２の方向の第２の距離とを含む）である、規則的な配置で分布されたいくつかの光源のセットを意味すると解釈される。好ましくは、アレイの光源１１が、全て同じ数の光源を含む行に分配される。光源は、平坦な支持体上に配置され、従って、試験される太陽光発電機に従って構成することができるサイズ及び幾何学的形状のパネルを形成する。
【００４３】
さらに、アレイ１０の各光源１１は、太陽電池の接合部の電気変換波長帯域のうちの少なくとも１つにおいて光を放射することができる。
【００４４】
一実施形態では、アレイ１０の各光源１１が太陽電池の接合部の電気変換波長帯のそれぞれにおいて光を放射することができる。
【００４５】
このため、光源により太陽電池を照明することにより、太陽電池の全ての接合部を同時に励起し、太陽電池に電流を発生させることができる。
【００４６】
例えば、各光源１１は太陽電池の各接合部に対して少なくとも１つの発光ダイオード（以下、ＬＥＤ）を備えることができ、各発光ダイオードは、太陽電池のそれぞれの接合部によって吸収される波長帯域の光を発生することができる。
【００４７】
光源の性質は太陽電池の種類によって異なる可能性があり、より具体的には、ＬＥＤの発光範囲が太陽電池の接合部によって異なる可能性があることが理解される。
【００４８】
非限定的な例として、そのスペクトル応答が図５に示されている少なくとも３Ｇ２８タイプの三重接合電池に適しているために、アレイ１０の各光源１１は、有利には３つのＬＥＤを備えてもよい。
・４５０ｎｍを中心とする波長帯域の光を放射することができる第１のＬＥＤであって、電池の上部接合部の吸収帯域（４００〜６００ｎｍ）の光を放射するためのものであり、これは、図５にも発光スペクトルが示されている白色ＬＥＤの場合である。
・８５０ｎｍを中心とする波長帯域の光を放射することができる第２のＬＥＤであって、電池の中間接合部の吸収帯域（６５０〜９００ｎｍ）の光を放射するためのものであり、これは、図５に発光スペクトルが示されている第１の赤外線ＬＥＤの場合である。
・９４０ｎｍを中心とする波長帯域の光を放射することができる第３のＬＥＤであって、電池の下部接合部の吸収帯域の光（９００〜１０００ｎｍ）を放射するためのものであり、これは、発光スペクトルが図５に示される第２の赤外線ＬＥＤの場合である。
【００４９】
図５において、ｙ軸の右側はＬＥＤのスペクトル放射輝度を表す。
【００５０】
あるいは、各光源１１が太陽電池の各接合部に対していくつかのＬＥＤ、例えば、各接合部の波長帯域での照明を可能にする２つ又は３つのＬＥＤを有することも可能である。  別の実施形態では、アレイの光源１１が、太陽電池の単一の電気変換波長帯域の光を放射することができる。この場合、図１ｄに概略的に示されているように、照明装置１９は複数の接合部を有する太陽電池を照明するために、太陽電池の他の電気変換波長帯域（複数可）の光を放出することができる少なくとも１つの二次光源１８を備えてもよい。
【００５１】
より一般的には、このケースは、電池の接合部の数がＮ個であり、光源１１が複数の波長帯域、即ち、Ｎ−１個の接合部に対応する太陽電池の多くともＮ−１個の電気変換波長帯で照射可能であるならば、適用することができる。
【００５２】
図１ａに戻って、試験装置１は、照明装置用の制御ユニット１２も備える。制御ユニットは特に、アレイ１０の各光源１１のオン／オフを個別に選択的に制御するのに適している。有利には、制御ユニット１２が二次光源１８を制御するのにも適している。
【００５３】
この点に関して、制御ユニット１２は、以下を含むコンピュータ１３を備えることができる。
・プロセッサによって実行可能な命令を記憶するメモリ１３０、
・光源を点灯または消灯するためのコマンドを光源に送るためにメモリに記憶された命令を実行するのに適しているプロセッサ１３１、および
・例えば、光源のオンまたはオフ状態に関する情報を表示するための、おそらくタッチセンシティブなスクリーンと、光源の点灯または消灯を制御するために、オペレータからの指令を入力するための手段とを備えるヒューマンマシンインターフェース１３２。
【００５４】
制御ユニット１２は、また、図３ａおよび図３ｂを参照すると、アレイ１０の光源のそれぞれのサブセットに接続され、プロセッサの指令を、光源を制御するための命令に変換することができる少なくとも１つのマイクロコントローラ１２０を備えてもよい。制御ユニット１２は最後に、各光源に対して、マイクロコントローラからの命令を受け取り、光源に電力を供給するか、供給しないかの命令に従って選択的に切り替えるのに適した低電圧電力トランジスタ１２１を備えてもよい。
【００５５】
有利には、制御ユニット１２はまた、太陽電池のそれぞれの接合部に対応する各波長帯域において、光源によって放射される放射照度をそれぞれ制御および変化させるのに適していてもよい。したがって、光源が太陽電池の接合部あたり少なくとも１つのＬＥＤを備える場合、制御ユニット１２は、各ＬＥＤの点灯、消灯、および発光電力を個別に制御するのに適している。
【００５６】
最後に、図１ａに戻ると、試験装置１はさらに、光源のアレイ１０のための、および適切な場合には２次光源１８のための電源１４を備える。この電源は、電気系統電圧（例えば、２２０Ｖ、単相または三相）をアレイに適した電圧に変換する。電圧の選択は、アレイに電力を供給する電流を最小化するように決定され、典型的には１０〜４０Ｖの間で選択することができる。
【００５７】
したがって、照明装置は電池の接合部に対応する各波長帯域内の太陽光発電機の各太陽電池を照明することができ、かつ、各電池を、電流を送達しない状態（少なくとも１つの接合部が照明されていない状態）と、通常動作中に電流を送達する状態（全ての接合部が照明されている状態）との間で選択的に切り替えることができるようにするために、少なくとも１つの接合部の各太陽電池に対して、個別に切り替え可能な照明を可能にすることができる。
【００５８】
実際、アレイ１０の光源１１が太陽電池の接合部のそれぞれに対応する波長帯で発光可能である場合には、各光源のスイッチングによって、電池毎に、１つの状態から別の状態に変化させることが可能になる。
【００５９】
光源１１が１つの波長帯域でのみ照射し、複数の接合部を有する太陽電池を備え、照明装置１９が他の接合部のための１つ以上の二次光源１８をさらに備える場合には、欠落した接合部を活性化し、したがって電池毎に１つの状態から別の状態に切り換えるために、太陽光発電機を二次光源１８で照射し、アレイ１０の光源を切り換えるようにすればよい。
【００６０】
さらに、照明装置は、全ての接合部に対応する全ての波長帯における累積放射照度に相当する、少なくとも１３０Ｗ／ｍ２以上の太陽電池が受ける放射照度で太陽電池を照明するのに適している。
【００６１】
これにより、太陽電池が照射されたときに、太陽電池が測定可能な電流を発生させるのに十分な照射量で照射されることが保証され、したがって、応答電流の分析によって、照射された太陽電池が機能しているか否かを評価することが可能になる。この放射照度も、空間での使用時に、衛星の太陽光発電機の太陽電池が太陽から受ける放射照度の約１／１０である。
【００６２】
各電池を個別に切り替えることを可能にするために、光源のアレイ１０は、太陽光発電機が備える太陽電池の数と、少なくとも同じ数の光源を備えることが好ましく、その結果、少なくとも１つの光源が所与の太陽電池に対応し、光源を点灯することによって、対応する電池の照明が引き起こされる。
【００６３】
換言すれば、２つの光源間の距離は、太陽光発電機の２つの太陽電池の中心間の距離以下である。
【００６４】
あるいは、光源のアレイ１０が発電機の太陽電池の数の倍数である数の光源を備えてもよい。
【００６５】
さらに、アレイ１０の光源の表面密度が大きいほど、試験される太陽光発電機に従って光源を可変構成にまとめることができるので、種々のタイプの太陽光発電機に試験装置を適合させることができる。
【００６６】
例えば、衛星に従来使用されている太陽電池は、隣接する２つの太陽電池の中心間の距離が通常４〜１４ｃｍであるように、太陽電池の密度を有する。有利には、試験装置の光源のアレイが５ｃｍ未満、好ましくは１ｃｍ未満、例えば５ｍｍの２つの隣接する光源間の距離に対応する、太陽電池の密度よりも大きい光源の密度を有することができる。
照明装置１９が１つまたは複数の二次光源１８も備えている場合には、各太陽電池の個々の照明に関する要件が電池を個別に切り替えることを可能にするこのアレイ１０であるので、光源１１のアレイ１０にのみ適用され、二次光源はより拡散される照明のために密度を低くすることができることが理解される。したがって、各二次光源は、いくつかの電池、または発電機全体をカバーすることができる。
【００６７】
光源の高い表面密度を達成するために、ハウジングを使用し、ハウジングの中で、ＬＥＤが並置または重ね合わされ、各ＬＥＤが、放出されたビームの角度開口を１０度以下に低減するために一体化された光学系を有することが好ましい。図２ａに表されるのは４つの接合部を有する電池に適した光源の一例であり、発光バンドがそれぞれ４つの異なる波長の中心に位置する４つのＬＥＤを備え、４つのＬＥＤは共通ボード上に実装され、各ＬＥＤはビームの角度開口を１０度に減少させることを可能にする一体化された光学系を備える。１０ｃｍの距離において、示された例によって生成されたビームは２３ｍｍの直径を有し、従って、発電機の単一の電池を著しく照射することを可能にする。
【００６８】
あるいは、図２ｂに表されるのは太陽電池の４つの接合部に適合されたＬＥＤの列を含む高密度アレイの一例であり、ＬＥＤの列はコンパクトに組織化されている。示された実施例では、２つの隣接するＬＥＤの間のピッチが水平方向および列によって定義される方向において４ｍｍである。したがって、我々は太陽電池の構成に応じて、太陽光発電機の電池が可変構成で個別に照明されるように、ＬＥＤをグループ化することができる。
一実施形態では光源のアレイ１０が一緒に組み立てることができる複数のサブアレイ１５を備え、各サブアレイ１５は個々に給電され、コンピュータ１３に接続することができる。この点に関して、各サブアレイは、サブアレイの全ての光源を制御することを可能にするマイクロコントローラ１２０を備える。
【００６９】
各サブアレイ１５は、少なくとも１つ、好ましくはいくつかの光源１１を備える。有利には、サブアレイ１５が光源１１の少なくとも１つの行を含む。
【００７０】
有利には、試験装置１が図１ｂに概略的に示されるフレーム１６をさらに備え、サブアレイの集合体が所望の幾何学的形状のアレイを形成することを可能にする。フレームは例えば、１組の位置１６０を備えてもよく、各位置は例えば、ねじ留め、ボルト留め、またはスナップ嵌めによって、サブアレイを受け入れることができる。
【００７１】
この構成をサブアレイにすることにより、試験される太陽光発電機の幾何学的形状に応じて試験装置をモジュール化することができる。実際、適切な数のサブアレイを選択し、前記幾何学的形状に基づいて決定された構成にサブアレイを組み立てることが可能である。
【００７２】
図３ａおよび図３ｂでは、サブアレイの２つの可能な例が示されている。図３ａに示す第１の実施形態では、サブアレイは４つの光源１１の４つの行を備える。図３ｂに示す変形例では、サブアレイが９つの光源１１の２つの行を備える。
【００７３】
さらに、接合部に対応する少なくとも１つの波長帯域で太陽電池２０を選択的に照明することができるようにするために、試験装置は有利には各光源１１によって放出される光ビームの開口角度を制御し、有利には低減することを可能にする光学系（図示せず）を備える。これらの光学系は例えば、１つまたは複数のレンズ、および／または１つまたは複数の絞りを備えてもよい。すでに説明したように、光学系はまた、ＬＥＤの密度を増加させることを可能にするために、ＬＥＤに直接集積されてもよい。
【００７４】
超えてはいけない最大開口角度の値は、他のパラメータ、特に太陽電池と光源との間の距離に依存する。典型的には、この距離が好ましくは５ｃｍよりも大きい。というのはそれよりも下では試験装置による太陽光発電機への接触の危険があり、したがって、損傷の危険があるからである。この距離は、好ましくは１５〜２０ｃｍ未満である。それを超えると、試験装置の近くで作業するオペレータが失明する危険があるからである。
【００７５】
例えば、太陽電池と光源との間の距離は１０ｃｍであってもよく、開口角度の制御光学系は光ビームの開口角度を、１５度未満、例えば１０度に等しい開口角度に減少させるのに好適であってもよい。
【００７６】
太陽電池が受ける放射照度は、光源の密度、光源が生み出す放射照度、距離、光ビームの開口角度によっても左右される。太陽光発電機の太陽電池当たり１つの光源があり、各光源は電池の接合部に対応する各波長帯域の光を生成することができ、各光源１１は試験中に、太陽光発電機から５〜１５ｃｍの間の距離に配置され、１５度未満の開口角度を有する実施形態では、光源が有利には１〜２ワット／１０ｃｍ２の放射照度を生成するように構成される。
【００７７】
太陽光発電機が受け取る放射照度を考慮すると、試験装置１は、太陽光発電機を保護するための装置１８を備えることが有利である。この保護装置１８は、有利にはアレイの光源１１と太陽電池との間に延在する透明スクリーン１８０を備え、光源の故障の場合に機械的保護（保護、発生した汚染の閉じ込め）と熱的保護との両方を提供することができる。この点に関して、透明スクリーン１８０は太陽光発電機の温暖化を制限するために、１．８μｍを超える波長の赤外線を遮断するのに有利に適している。図１ｃを参照すると、この透明スクリーン１８０は、空気の循環を可能にするために光源とスクリーンとの間の空間を維持しながら、光源のアレイ１０の位置決めを可能にする距離を置いて、フレーム１６上に取り付けてもよい。
【００７８】
この点に関し、保護装置１８はまた、光源とスクリーン１８０との間の空間に新鮮な空気をもたらすことができるファン１８１を備えてもよい。最後に、保護装置１８はまた、光源のアレイの後面、言い換えれば、太陽光発電機から離れた方向を向いたアレイの面上にラジエータ１８２を備えることができ、ラジエータ１８２は光源によって生成された熱を除去することができ、したがって、太陽光発電機の熱保護に寄与することができる。
【００７９】
有利には、しかし任意には、アレイ１０の各光源１１もまた、太陽光発電機の幾つかの幾何学的形状に適合させることができ、個々の太陽電池の可能な限り最も精密な照明を可能にするために配向可能であってもよい。
【００８０】
上述した試験装置１により、その使用状況に応じて、太陽光発電機の正しい動作の検証をいくつか行うことが可能となる。
【００８１】
図６を参照すると、上述の試験装置を使用して太陽光発電機を試験する方法は、太陽光発電機の太陽電池のアレイと反対側に光源のアレイを位置決めするステップ１００を含む。
【００８２】
有利には、試験装置が、光源の数および配置、ならびに光源の性質および発光スペクトルの両方において、試験される太陽光発電機のために事前に構成されている。
例えば、光源のアレイがサブアレイで構成される場合には、太陽光発電機全体の試験を可能とするサブアレイの個数及び配置を選択し、この構成に従って組み立てることにより、試験装置が構成されている。
【００８３】
さらに、光源のアレイ１０、好ましくはアレイが取り付けられるフレーム１６は有利には可動台車（図示せず）に固定され、可動台車は有利にはその上に取り付けられる光源のアレイ１０の位置および向きを調整するための手段を備える。したがって、光源のアレイ１０をキャリッジ上に取り付け、次いでキャリッジを太陽光発電機に持って行き、光源を太陽電池の反対側に配置するように調整することが可能である。
有利には、少なくとも１つの光源が、各太陽電池に反対側に、２０ｃｍ未満、好ましくは１５ｃｍ未満であるが５ｃｍを超える距離に位置するように、光源のアレイが配置される。
【００８４】
次いで、本方法は、アレイの少なくとも１つの光源１１、および適切な場合には二次光源をオンにすることによって、太陽電池の接合部に対応するすべての波長帯域において、太陽電池発電機の少なくとも１つの太陽電池を照明するステップ２００を含む。このステップの様々な実施形態を以下に説明する。
【００８５】
照明装置が光源１１のアレイ１０のみを備える場合、このステップは電流の発生が活性化される電池に対応するために、１つ以上の光源を点灯することによって実施される。
照明装置が１つ以上の二次光源を備える場合、このステップは電流の発生を活性化させることが望まれる少なくとも電池を照明するための二次源の電源のオンと、１つまたは複数電池に対応するアレイの１つ以上の光源１１の点灯とを含み、この光源１１の点灯は、電池のスイッチングを可能にする。
【００８６】
次いで、本方法は、照射された１つまたは複数の太陽電池の応答電流を測定するステップ３００を含む。測定された応答電流は、好ましくは、衛星又はドローンに供給される電流である。何故ならば、太陽光発電機の内部電気接続部（例えば、２つの電池又は２つのストリング間の接続部）にアクセスすることなく、この電流にアクセスすることが可能であり、従って、これは、太陽光発電機を取り扱うことによる損傷のリスクを最小化するからである。
【００８７】
次に、測定された応答電流はステップ４００の間に、オペレータによって、またはプロセッサによって実施されるアルゴリズムによって分析され、太陽光発電機が健全状態または不良状態にあるかを推定する。実施される分析は、実施される照明のタイプおよび実施される試験の性質に依存する。これは、例えば、限定的ではないが、測定された電流値と照明された電池の数に従って決定された閾値との比較、および測定された電流が前記閾値を下回る場合の不具合の検出を含んでもよい。
【００８８】
衛星は、太陽光発電機によって生成された供給電流が所定の閾値（太陽光発電機上の太陽による少なくとも部分的な照明に対応する）を超える場合、自動始動機能を備えることがある。
【００８９】
一実施形態では、太陽光発電機全体を照らすために全ての光源を同時にオンにすることにより、衛星への太陽光発電機の正しい接続とともに、この機能性を試験することができる。
【００９０】
あるいは、本方法は、ストリングのすべての電池を同時に照射することによって電池のストリングを選択的に照射するステップ（２００）を含み、出力電流の分析はストリングの衛星またはドローンへの正しい接続、配線の完全性、それに対応すべき調整器２５の経路へのストリングの正しい割り当て、調整器の正しい動作、ならびに対応するストリングブロッキングダイオードの正しい動作を検証することを可能にする。
【００９１】
加えて、調整器がストリング入力電圧の測定を提供する場合、ストリングのバイパスダイオードの短絡タイプの故障は、そのストリングの開回路電圧を低下させる。
【００９２】
あるいは、調整器がＭＰＰＴタイプの場合、本方法は、ＭＰＰＴ調整器の正しい動作を確認するために、太陽光発電機を部分的に遮光してシミュレートする照明（するステップ）２００を含んでもよい。次に、遮光された電池を考慮した場合、衛星の供給電流の電力が最大電力であることを検証する。
【００９３】
本方法はまた、１つのストリングの太陽電池のグループを連続的に照明するステップ２００を含み、該グループは一定数の太陽電池を含み、連続的に照明されるグループは、１個の太陽電池により互いにオフセットされ、この照明はストリングの漸進的なスイープを形成してもよい。
【００９４】
このスイープ中の電流の進展により、電池または対応するバイパスダイオードの不具合、またはストリング内の電池間の電気接触の不良を検出することが可能になる。
【００９５】
例えば、スイープ中に電流が一定であるが、局所的な減少が生じる場合、電流の減少に対応して、最後にグループに追加された電池またはバイパスダイオードの不具合を推測することができる。
【００９６】
追加の試験は、不具合は電池が原因であるか、または関連するバイパスダイオードが原因であるかを区別することを可能にする。この試験では、最初に、不具合が位置するものよりも上流に配置された電池を照明し、次に、不具合が位置するものを照明し、各照明された電池に対する電流の分析を行う。上流の電池を照明しているときに電流が測定できず、次の電池を照明したときに電流が検出されるならば、バイパスダイオードに欠陥があり、開回路であると推論することができる。
【００９７】
一方、上流に配置した電池を点灯させたときに電流が検出され、次の電池を点灯させたときにこの電流が減少した場合には、電池に欠陥があるか、バイパスダイオードが短絡していると推論することができる。
【００９８】
したがって、上述の試験装置は太陽光発電機を取り扱うことなく、または太陽光発電機と接触することなく、太陽光発電機に対して一連の試験を実施することを可能にし、これにより損傷の危険性が低減される。さらに、太陽電池に個別に応力を加えることにより、識別された電池またはストリングの動作を試験することが可能になり、これにより、故障の位置を正確に検出することが可能になる。
【図１ａ】
2021524225.tif 000003
【図１ｂ】
2021524225.tif 000004
【図１ｃ】
2021524225.tif 000005
【図１ｄ】
2021524225.tif 000006
【図２ａ】
2021524225.tif 000007
【図２ｂ】
2021524225.tif 000008
【図３ａ】
2021524225.tif 000009
【図３ｂ】
2021524225.tif 000010
【図４】
2021524225.tif 000011
【図５】
2021524225.tif 000012
【図６】
2021524225.tif 000013
【国際調査報告】
2021524225.tif 000014
2021524225.tif 000015
2021524225.tif 000016
2021524225.tif 000017